(57)【要約】      （修正有）【課題】地球上の誰にでも身近に存在している大気熱をもつ大気を電力化して、再生可能な無尽蔵のエネルギーを得ることができる集大気熱発電機を提供する。【解決手段】地球上に住む人が皆が享受している大気熱をもつた普通の大気２をコンプレッサー（大気熱圧縮機）３で圧縮して温度を高めた、高温度大気４と水槽５の水６とで、水蒸気発生器７で発生した水蒸気８でタービン９を働かせタービン９で得た動力で発電機１１を働かせ、電力１２を得る、又水より低沸点のアンモニアやペンタ・フロンなどの低沸点流体で電力１２を得る。【選択図】図１
0003187644.tif 000002
【実用新案登録請求の範囲】
【請求項１】
地球上の誰にでも身近に存在している大気熱をもった大気２を大気熱圧縮機のコンプレッサー３で圧縮して、温度を高めた高温大気４と水槽５の水６とを水蒸気発生器７で発生した水蒸気８でタービン９を働かせ動力を得る、そしてこの動力で発電機１１で電力１２を得る、又、水より低沸点のアンモニアやペンタ・フロンなどの低沸点流体で電力１２を得ることを
特徴とする集大気熱発電
【考案の詳細な説明】
【技術分野】
【０００１】本考案は集大気熱発電に関するものであり、更に詳しくは、大気熱をもった大気を圧縮し圧縮されて上昇した大気熱で水を用いて水蒸気を作りこの水蒸気を利用して、タービンを働かせ、このタービンで発電機を働かせて、更に発電させて、電力をうることに関するものである。
【背景技術】
【０００２】従来より、発電に用いられているものは、原子力、水力、火力、波力、風力、地熱、バイオマス、海洋エネルギー、太陽光、などが用いられていた。【０００３】又、太陽熱に直接関係した発電には集光式太陽熱発電温度制御システムがある。
【先行技術文献】
【特許文献】
【０００４】
【特許文献１】特許出願広告  昭６３−３３０５７
【考案の概要】
【考案が解決しようとする課題】
【０００５】この従来例の、集光式太陽熱発電温度制御システム、は発電量が天候、時間帯、季節、位置、地域、によって左右される欠点を有する。
【課題を解決するための手段】
【０００６】前記従来例の課題を解決するための本考案の要旨は、いつでも、どこでも、誰にでも、身近に存在し、接している、大気熱をもった大気を圧縮し圧縮されて上昇した大気熱で水を用いて水蒸気を発生させ、この水蒸気を用いてタービンを働かせ電力を得る、そしてこのようにして得た電力の、一部又は全部を使い、前記と同じ工程で集大気熱発電を行い、以前と同じ量か或いは以前より大きな電力を得ることができる。又水より低沸点のアンモニアやペンタ・フロンなどの低沸点熱媒体即ち低沸点流体を使って電力を得ることも出来る。
【考案の効果】
【０００７】本考案に係る、集大気熱発電によれば、いつでも、どこでも、誰にでも、身近に存在し、接している、大気熱をもった大気を圧縮し圧縮されて上昇した大気熱で水を用いて水蒸気を発生させ、この水蒸気を用いてタービンを働かせ電力を得る、そしてこのようにして得た電力の、一部又は大部分を使い、前記と同じ工程で集大気熱発電を行い、以前と同じ量か或いは以前より大きな電力を得ることができる。又水より低沸点のアンモニアやペンタ・フロンなどの低沸点熱媒体即ち低沸点流体を使って電力を得ることも出来る。そしてこれらを繰り返すことにより、これを再生可能エネルギーとして人類の究極の無限のエネルギーとする効果を奏する
【図面の簡単な説明】
【０００８】
【図１】本考案に係る集大気熱発電の機構図である。
【考案を実施するための形態】
【０００９】次に本発明の実施の形態について図面を参照しながら説明する。まず図１、に於いて符号１は集大気熱発電をしめす。
【００１０】次に大気２は不特定の大気熱をもった普通の大気を示しコンプレッサー３は大気２の大気を圧縮するコンプレッサーを示し、高温度大気４はコンプレッサー３で圧縮され温度が上昇した大気熱を示し、水槽５は水を貯蔵する水槽を示し、水６は水を示し、水蒸気発生器７は温度が上昇した大気熱４で水６を蒸発させ水蒸気を得る水蒸気発生器を示し、水蒸気８は水蒸気発生器７で発生した水蒸気を示し、タービン９は水蒸気８で働かせるタービンを示し、放出水蒸気１０はタービン９の放出水蒸気を示し、発電機１１はタービン９で得た動力で発電を行う発電機を示し、電力１２は発電機１１で発電した電力を示す。
【００１１】又、アンモニアやペンタ・フロンなどの水より低沸点の熱媒体即ち低沸点流体を大気熱４をもった大気を大気熱圧縮機３で圧縮して温度の上昇した高温度大気熱４で水６を高温度熱温水化して、この高温度熱温水で、アンモニアやペンタ・フロンなどの水より低沸点の熱媒体即ち低沸点流体を沸騰させ、タービン９を回し発電機１１を働かせ、電力１２を得ることもできる。
【符号の説明】
【００１２】１    集大気熱発電
２    大気（大気熱をもった普通の大気）
３    コンプレッサー（大気熱圧縮機）
４    高温度大気（温度上昇した大気熱をもった大気）
５    水槽（水とその入れ物）
６    水
７    水蒸気発生器
８    水蒸気
９    タービン
１０  放出水蒸気
１１  発電機
１２  電力
【図１】
0003187644.tif 000003
【手続補正書】
【提出日】平成25年4月9日(2013.4.9)
【手続補正１】
【補正対象書類名】実用新案登録請求の範囲
【補正対象項目名】全文
【補正方法】変更
【補正の内容】
【実用新案登録請求の範囲】
【請求項１】
地球表面上部を覆い地上面より上方に成層圏上空に達し、窒素、酸素、アルゴン、二酸化炭素、ネオン、ヘリウム、クリプトン、キセノン、で構成され、恒常的に太陽エネルギーを受け、大気熱をもって存在する気体の地球の大気２を、金属製で速度型のターボ式又は容積型のレシプロ式又は回転式のコンプレッサー（大気熱圧縮機）３で、周辺の大気熱をもった大気２を収集圧縮して、大気２を高温度化した高温度大気４を、金属製の立体形容器内の水槽５内から金属製管で送られた液体の水６を金属製立体形水蒸気発生器７内で、金属製の管や板を介して液体の水６に作用させて、水蒸気８を発生させ、この水蒸気８を、金属製立体形のタービン９の回転軸の周囲に環状に連って取り付けられている羽根に、水蒸気発生器７で発生した水蒸気８を金属製管でタービン９に送ってタービン９の軸を回転させ、タービン９内の使用後の水蒸気を放出水蒸気１０として金属製管でタービン９内から外部に放出し、タービン９の軸回転力は、立体形で金属製の発電機１１に作用させ、発電を行い、電力１２を得る、又、液体の水６の代わりに低沸点流体のアンモニア液体、又はペンタン・フロン液体を使う場合は、地球表面上部を覆い地上面より上方に成層圏上空に達し、窒素、酸素、アルゴン、二酸化炭素、ネオン、ヘリウム、クリプトン、キセノン、で構成され、恒常的に太陽エネルギーを受け、大気熱をもって存在する気体の地球の大気２を、金属製で速度型のターボ式又は容積型のレシプロ式、又は回転式のコンプレツサー（大気熱圧縮機）３で、周辺の大気熱をもった大気２を収集圧縮して、大気２を高温度化した高温度大気４を、金属製の立体形蒸気発生器の容器内で、金属製の管や板を介して、アンモニア液又はペンタン・フロン液に作用させ、蒸気８を発生させ、この蒸気８を、金属製立体形のタービン９の回転軸の周囲に環状に連って取り付けられている羽根に、蒸気発生器で発生した蒸気を金属製管でタービン９に送ってタービン９の軸を回転させ、タービン９内の使用後の蒸気１０を金属製管でタービン９内から外部に放出し、タービン９の軸回転力は、立体形で金属製の発電機１１に作用させ、発電を行い、電力１２を得る、このように、大気熱２、コンプレツサー（大気熱圧縮機）３、高温度大気４、水槽５、水６、又はアンモニア液、又はペンタン・フロン液、水蒸気発生器７、又は蒸気発生器、水蒸気８、又は蒸気、タービン９、放出水蒸気１０、又は放出蒸気、発電機１１、電力１２、のこれらの形状、構造を組み合わせたことを特徴とする、請求項１に記載の集大気熱発電１。
【手続補正書】
【提出日】平成25年6月28日(2013.6.28)
【手続補正１】
【補正対象書類名】実用新案登録請求の範囲
【補正対象項目名】全文
【補正方法】変更
【補正の内容】
【実用新案登録請求の範囲】
【請求項１】
地球表面上部を覆い地上面より上方に成層圏上空に達し、窒素、酸素、アルゴン、二酸化炭素、ネオン、ヘリウム、クリプトン、キセノン、で構成され、恒常的に、太陽エネルギーを受け、大気熱をもって存在する気体の地球の大気（２）を、立体形の金属製で速度型のターボ式又は容積型のレシプロ式、回転式等のコンプレッサー（大気熱圧縮機）（３）で、周辺の大気熱をもった大気（２）の部分を収集圧縮して、大気（２）を高温度化し、立体形化した、窒素、酸素、アルゴン、二酸化炭素、ネオン、ヘリウム、クリプトン、キセノン、で構成された構造の立体形の高温度大気（４）を、金属製の立体形容器内の水槽（または槽）（５）内から金属製管で送られた水（又は低沸点流体のアンモニア、或いはペンタン・フロン）（６）を金属製の立体容器内で、金属製の管や板を介して水（又は低沸点流体のアンモニア、或いはペンタン・フロン）（６）に作用させ、水蒸気（又は蒸気）（８）を発生させ、この水蒸気（又は蒸気）（８）を、それぞれ、金属製の回転軸の周囲に環状に連って取り付けられている羽根に、水蒸気（又は蒸気）発生器（７）で発生した水蒸気（又は蒸気）（８）を金属製管でタービン（９）に送ってタービン（９）の軸を回転させ、タービン（９）内の不要な水蒸気（又は蒸気）（１０）を金属製管でタービン（９）内から外部に放出し、このタービン（９）の軸回転力を、立体形で金属製の三相交流発電機（１１）に作用させ、発電を行い、電力（１２）を得る、このように、大気熱をもつ大気（２）の部分をコンプレツサー（大気熱圧縮機）（３）で収集圧縮して高温度化し立体形化した、窒素、酸素、アルゴン、二酸化炭素、ネオン、ヘリウム、クリプトン、キセノン、で構成された構造の立体形の高温度大気（４）を発電のエネルギー源とした高温度大気（４）、と、各々が形状、構造をもった、水槽（または槽）（５）、水（又は低沸点流体のアンモニア、或いはペンタン・フロン）（６）、水蒸気（又は蒸気）発生器（７）、水蒸気（又は蒸気）（８）、タービン（９）、水蒸気（又は蒸気）（１０）、三相交流発電機（１１）、電力（１２）等より成る蒸気発電機構とを組み合わせ電力を得ることを特徴とする、集大気熱発電（１）。
【手続補正書】
【提出日】平成25年9月24日(2013.9.24)
【手続補正１】
【補正対象書類名】実用新案登録請求の範囲
【補正対象項目名】全文
【補正方法】変更
【補正の内容】
【実用新案登録請求の範囲】
【請求項１】
大気熱をもった大気を圧縮するコンプレッサーと、前記コンプレッサーによって圧縮されて高温になった大気により熱媒体を蒸発させる蒸気発生器と、前記蒸気発生器によって発生した蒸気により回転するタービンと、前記タービンで得た動力により発電を行う発電機と、からなる集大気熱発電機。